(57)【要約】【課題】強調した画像を明るく表示することができる表示装置を提供する。【解決手段】複数の信号線と、複数の信号線に直交する複数の走査線と、画像信号を複数の信号線に供給するデータ線駆動回路８と、走査信号を複数の走査線に供給する走査線駆動回路９と、信号線と走査線との交差部にマトリクス状に配列され、複数の信号線に画像信号を供給した状態で、走査線に走査信号を供給することにより発光する複数の発光素子と、を備えた表示装置１において、複数の信号線のうち、同一の画像信号を複数回供給する信号線を指定する信号線指定回路６と、同一の画像信号が信号線に複数回供給されるタイミングに同期して走査信号が走査線に供給されるように、走査線駆動回路９から制御信号を出力させる走査回数制御回路４と、を備える。【選択図】      図１
2007041017.tif 000002
【特許請求の範囲】
【請求項１】
複数の信号線と、前記複数の信号線に直交する複数の走査線と、画像信号を前記複数の信号線に供給するデータ線駆動回路と、走査信号を前記複数の走査線に供給する走査線駆動回路と、前記信号線と前記走査線との各交差部に配列され、前記複数の信号線に前記画像信号を供給した状態で、前記走査線に走査信号を供給することにより発光する複数の発光素子と、を備えた表示装置において、
前記発光素子の明るさを増加させる場合に、前記複数の信号線のうち、同一の前記画像信号を複数回供給する信号線を指定する信号線指定回路と、
前記同一の画像信号が前記信号線に複数回供給されるタイミングに同期して前記走査信号を前記走査線駆動回路から制御信号を出力させる走査回数制御回路と、
を備えたことを特徴とする表示装置。
【発明の詳細な説明】
【技術分野】
【０００１】
本発明はマトリクス状に配列されたＯＥＬ（Ｏｒｇａｎｉｃ  ＥｌｅｃｔｒｏＬｕｍｉｎｅｓｃｅｎｃｅ：有機ＥＬ）発光素子を発光させて表示する表示装置に係り、特定の発光素子の発光量を増加させて視聴者が視聴した時の明るさを向上させる表示装置に関する。
【背景技術】
【０００２】
特定の発光素子からは明るい画像を得たい場合の表示装置が、特許文献１に記載されている。
特許文献１には、走査線期間の中の画像信号期間内に発光素子を発光させて所定の明るさで表示を行い、表示装置の表示部の発光を画像信号期間とともに予め指定された帰線期間内でも発光させて明るくして強調したい画像を視聴者に提供することが記載されている。
以下では、特許文献１に記載されている表示装置について図７及び図８を用いて説明する。
図７は、特許文献１に記載されている表示装置を示す概略ブロック図である。図８は、発光素子の発光期間を示す図である。
【０００３】
図７に示すように、従来の表示装置１００は、画像メモリ１０２と、高輝度検出回路１０３と、発光期間設定回路１０４と、走査線駆動回路１０５と、データ線駆動回路１０６と、発光素子１０７と、から構成される。
【０００４】
画像メモリ１０２は、画像入力部１０１から出力される画像信号Ｄ１００を入力して記憶し、記憶された画像信号を読み出して画像信号１０１として高帰度検出回路１０３へ出力する。
高輝度検出回路１０３は、画像信号Ｄ１０１を入力して所定の基準レベル以上の高輝度レベルが検出されると高輝度レベルを検出した走査線期間における帰線期間の発光をＯＮにするパルスＰ１００を生成し、データ線駆動回路１０６に出力する共に、高輝度レベルを検出した画像信号を画像信号Ｄ１０２として発光期間設定回路１０４へ出力する。
発光期間設定回路１０４は、画像信号Ｄ１０２に準じて発光素子の発光期間Ｄ１０３を設定し、データ線駆動回路１０６へ送る。
走査線駆動回路１０５は、画像信号の走査線期間に応じて発光素子１０７の走査線を駆動する駆動パルス（Ｌ０，Ｌ１，Ｌ２，．．，Ｌｍ）を生成して発光素子１０７へ供給する。
データ線駆動回路１０６は、発光期間Ｄ１０３とパルスＰ１００とを入力して発光素子１０７に流す発光電流を制御する駆動パルス（Ｓ０，Ｓ１，Ｓ２，．．，Ｓｎ）を供給する。
発光素子１０７は、マトリクス状に構成されており、走査線を駆動する駆動パルス（Ｌ０，Ｌ１，Ｌ２，．．，Ｌｍ）と発光電流を制御する駆動パルス（Ｓ０，Ｓ１，Ｓ２，．．，Ｓｎ）とを入力し、所定の走査線位置の発光素子に電流が供給されて発光する。
【０００５】
図８（Ａ）に示すように、走査線期間Ｔｈ０は画像信号期間Ｔｍａｘと帰線期間ＴＢＬにより構成される。そして、図８（Ｂ）に示すように発光素子１０７の発光期間は、基準レベルの最大発光期間を画像信号期間Ｔｍａｘとする。そして、基準レベル以上の高輝度レベル時の発光期間は帰線期間ＴＢＬ内に発光期間Ｔｂ０を設定してＴｍａｘ＋Ｔｂ０を高輝度レベル時の発光期間Ｔｐｅａｋとする。従って、図８（Ｂ）に示されるように、高輝度レベルではない画像信号の走査線における走査線アドレスＡ００，Ａ０２では発光期間をＴｍａｘとし、高輝度レベル時の走査線アドレスＡ１１では発光期間をＴｐｅａｋとする。
【０００６】
次に、従来の表示装置１００の動作について図７、図８を用いて説明する。
まず、表示装置１００に入力された画像信号Ｄ１００を画像メモリ１０２に記憶する。そして、画像メモリ１０２に記憶された画像信号Ｄ１０１を読み出して高輝度検出回路１０３に入力し、所定の基準レベル以上の高輝度レベル部分を検出した場合は、帰線期間ＴＢＬの発光をＯＮにし、所定の基準レベル未満では帰線期間ＴＢＬの発光をＯＦＦにするパルスＰ１００を生成するとともに高輝度レベル部分は発光データとして画像信号に付加した画像信号Ｄ１０２を生成する。この高輝度レベル部分の発光データを付加した画像信号Ｄ１０２を発光期間設定回路１０４に入力して画像信号期間Ｔｍａｘに加算して高輝度レベル部分を帰線期間ＴＢＬ内で発光するよう発光期間データＤ１０３を生成する。そして発光期間データＤ１０３と帰線期間ＴＢＬの発光をＯＮにするパルスＰ１００とをデータ線駆動回路１０６に入力することにより、高輝度レベル部分を含む走査線では帰線期間ＴＢＬにも発光電流を流し、高輝度レベル部分を含まない走査線では帰線期間ＴＢＬには発光電流を流さない駆動パルス（Ｓ０，Ｓ１，Ｓ２，．．，Ｓｎ）を生成して発光素子１０７に供給する。
【０００７】
このようにして、高輝度レベル検出時には帰線期間ＴＢＬにも発光素子１０７を発光させることにより、常に同一の走査線期間で、それぞれの走査線における発光が１回の状態で、
所定の基準レベル以上の高輝度レベル（白ピーク）を表示させていた。
【特許文献１】特開２００４−２９５００１号公報
【発明の開示】
【発明が解決しようとする課題】
【０００８】
しかしながら、従来の表示装置においては、画像信号期間に比較して短期間である帰線期間ではわずかな増加した期間の発光しか得ることができないため、強調した画像を明るく表示することができなかった。
【０００９】
そこで、本発明は、上記のような問題点を解消するためになされたもので、強調した画像を明るく表示することができる表示装置を提供することを目的とする。
【課題を解決するための手段】
【００１０】
本願発明は、複数の信号線と、前記複数の信号線に直交する複数の走査線と、画像信号を前記複数の信号線に供給するデータ線駆動回路と、走査信号を前記複数の走査線に供給する走査線駆動回路と、前記信号線と前記走査線との各交差部に配列され、前記複数の信号線に前記画像信号を供給した状態で、前記走査線に走査信号を供給することにより発光する複数の発光素子と、を備えた表示装置において、前記発光素子の明るさを増加させる場合に、前記複数の信号線のうち、同一の前記画像信号を複数回供給する信号線を指定する信号線指定回路と、前記同一の画像信号が前記信号線に複数回供給されるタイミングに同期して前記走査信号を前記走査線駆動回路から制御信号を出力させる走査回数制御回路と、を備えたことを特徴とする表示装置を提供する。
【発明の効果】
【００１１】
本発明によれば、前記複数の信号線のうち、同一の前記画像信号を複数回供給する信号線を指定する信号線指定回路と、前記同一の画像信号が前記信号線に複数回供給されるタイミングに同期して前記走査信号を前記走査線駆動回路から制御信号を出力させる走査回数制御回路と、を備えているので、発光素子の発光量を増加させることが出来るため、強調した画像を明るく表示することができる。
【発明を実施するための最良の形態】
【００１２】
以下に本発明の実施形態に係る表示装置について図１〜図６を用いて説明する。
図１は、本発明の実施形態に係る表示装置の構成を説明するための図である。
図２は、本発明の実施形態に係る表示装置の発光状態を説明するための図であり、（Ａ）は発光期間を示す図であり、（Ｂ）は発光期間に対する発光量を示すグラフを示す図である。
図３は、本発明の実施形態に係る表示装置の高輝度レベルの発光量を得る為の過程を示す図であり、（Ａ）は最初の発光状態を示す図であり、（Ｂ）は高輝度レベル部分の発光を示す図であり、（Ｃ）は（Ａ）、（Ｂ）の発光が加算されて表示されたときの発光量を示す図であり、（Ｄ）は発光する位置を示す図である。
図４は、走査線ごとの最大発光期間を示す図である。
図５は、発光素子の動作を説明するための図である。
図６は、発光素子に流す電流と輝度の関係を示すグラフの図である。
【００１３】
図１に示すように、本発明の実施形態における表示装置１は、高輝度検出回路３と、走査回数制御回路４と、画像メモリ５と、信号線指定回路６と、発光期間設定回路７と、データ線駆動回路８と、走査線駆動回路９と、発光素子１０と、から構成される。
【００１４】
高輝度検出回路３は、画像入力部２から１画面分の画像信号Ｄ０を入力し、画像信号Ｄ０の走査線毎の最高輝度レベルを検出して所定の基準レベル未満であればその走査線のアドレスをアドレスＡ０ｊとし、所定の基準レベル以上であればその走査線のアドレスをアドレスＡ１ｋとして検出し走査回数制御回路４へ出力し、各アドレスをそれぞれ付加した画像信号を画像信号Ｄ１として画像メモリ５へ出力する。
【００１５】
走査回数制御回路４は、アドレスＡ０ｊとアドレスＡ１ｋとを入力し、アドレスＡ０ｊはそのままの走査線数としアドレスＡ１ｋは２倍の走査線数として１画面分合計し、その合計した走査線数に基づいてアドレスＡ０ｊの走査線とアドレスＡ１ｋの２倍の走査線数からなるそれぞれの走査期間を連続して１画面分の走査パルスとして設定した走査パルスＰ０を発光期間設定回路７と走査線駆動回路９へ出力し、画像メモリ５に画像信号Ｄ１を記憶する時は、アドレスＡ０ｊとアドレスＡ１ｋをそのまま用いた記憶用アドレスとし、画像メモリ５に記憶された画像信号を読み出した画像信号Ｄ２を信号線指定回路６へ出力するときは、アドレスＡ０ｊを１回用いて読み出し、アドレスＡ１ｋにおいては２回繰り返し用いて読み出す読み出し用アドレスとして構成されるアドレスＡ２ｊｋを画像メモリ５へ出力し、アドレスＡ１ｋを２回繰り返して読み出す時の２回目の読み出しアドレスをアドレスＡ３ｋとして生成し信号線指定回路６へ出力する。
【００１６】
画像メモリ５は、アドレスＡ２ｊｋと画像信号Ｄ１とを入力し、画像信号Ｄ１を記憶する時はアドレスＡ２ｊｋの記憶用アドレスを用い、記憶した画像信号を読み出す時はアドレスＡ２ｊｋの読み出し用アドレスを用いて読み出した画像信号Ｄ２を信号線指定回路６へ出力する。
【００１７】
信号線指定回路６は、アドレスＡ３ｋと画像信号Ｄ２とを入力し、アドレスＡ３ｋの走査線位置における画像信号Ｄ３は画像信号Ｄ２から所定の基準レベルを減算したレベルとし、アドレスＡ３ｋ以外のアドレスの走査線位置の画像信号Ｄ３は所定の基準レベル以上のレベルを減算したレベルとした画像信号Ｄ３を生成し発光期間設定回路７へ出力する。
【００１８】
発光期間設定回路７は、走査パルスＰ０と画像信号Ｄ３とを入力し、画像信号Ｄ３のレベルに応じてそれぞれの走査線期間毎に発光素子１０が発光する期間を制御する発光データＤ４を生成し、データ線駆動回路８へ出力する。
【００１９】
データ線駆動回路８は、発光データＤ４を入力し、発光素子１０のデータ線に発光データＤ４に基づいた発光期間分の電流（Ｓ０，Ｓ１，Ｓ２，．．，Ｓｎ）を発光素子１０へ流す。
【００２０】
走査線駆動回路９は、走査パルスＰ０を入力し、発光素子１０の走査線の駆動を制御する制御パルス（Ｌ０，Ｌ１，Ｌ２，．．，Ｌｍ）を生成し、発光素子１０へ出力する。
【００２１】
発光素子１０は、マトリクス状に配列された発光素子からなり、発光データＤ４に基づいた電流（Ｓ０，Ｓ１，Ｓ２，．．，Ｓｎ）と走査線の駆動を制御する制御パルス（Ｌ０，Ｌ１，Ｌ２，．．，Ｌｍ）とを入力して、走査線毎に発光素子を発光させる。
【００２２】
次に動作について説明する。
まず、図１に示すように、画像入力部２から表示装置１へ１画面分の画像信号Ｄ０を入力する。そして、表示装置１の走査回数制御回路４において、画像信号Ｄ０の走査線毎に最高輝度レベルを検出して所定の基準レベル未満であれば、その走査線のアドレスをアドレスＡ０ｊとして検出し、所定の基準レベル以上であれば、その走査線のアドレスをアドレスＡ１ｋとして検出する。
【００２３】
次に、アドレスＡ０ｊとアドレスＡ１ｋアドレスを走査回数制御回路４において、アドレスＡ０ｊの指定する走査線数と、アドレスＡ１ｋの指定する走査線数の２倍とを１画面分合計する。
その合計した走査線数に基づいて１画面分の画像信号Ｄ０の転送期間から、アドレスＡ０ｊにおける走査線期間とアドレスＡ１ｋの走査線期間とを算出して、それぞれの走査線期間毎の走査パルスＰ０を生成する。
【００２４】
更に、走査回数制御回路４では、画像メモリ５の記録用アドレスと読み出し用アドレスとからなるアドレスＡ２ｊｋを生成して画像メモリ５の記録／読み出しを制御する。
このアドレスＡ２ｊｋに使用される記録用アドレスは、画像メモリ５で画像信号を記録する時に、アドレスＡ０ｊとアドレスＡ１ｋとをそのまま用いて構成する。走査線期間も全て同じとする。
【００２５】
次に、アドレスＡ２ｊｋに使用される読み出し用アドレスでは、画像メモリ５に記憶された画像信号を読み出す時に用いるアドレスＡ０ｊの指定する走査線は１回として、アドレスＡ１ｋの指定する走査線は２回としてそれぞれ用いる。
そして、各走査線の走査線期間の１画面分の合計期間は、記録用アドレスと読み出し用アドレスとも同じとする。従って読み出し用アドレスでは記録用アドレスに比較して各アドレスで指定する１走査線期間の時間は短くなる。このようにして、画像信号の記録／再生を一定時間とすることにより連続して処理を行えるよう設定する。
【００２６】
従って、画像メモリ５で記憶した画像信号Ｄ１を読み出す時は、アドレスＡ２ｊｋの読み出しアドレスを用いて、記憶した画像信号Ｄ１がアドレスＡ０ｊの指定する走査線の時（最高輝度レベルが所定の基準レベル未満）であれば１回、記憶した画像信号Ｄ１がアドレスＡ１ｋの指定する走査線の時（最高輝度レベルが所定の基準レベル以上）であれば２回、読み出す。この画像メモリ５から読み出された画像信号を画像信号Ｄ２とする。
この画像メモリ５では、走査線数を変えて読み出すため１画面分の記憶容量が必要であるが、更に１画面増加して２画面分とすることにより交互に記録／再生を行い、連続動作をさせるよう設定してもよい。
【００２７】
次に、画像メモリ５から読み出された画像信号Ｄ２を信号線指定回路６において、アドレスＡ１ｋを２回繰り返して読み出す時の２回目の読み出しアドレスであるアドレスＡ３ｋで指定される走査線の画像信号Ｄ２のレベルは、最高輝度レベルが所定の基準レベル以上となっているから、所定の基準レベルで減算して、（最高輝度レベル−所定の基準レベル）とする。アドレスＡ３ｋで指定されない画像信号Ｄ２は所定の基準レベル未満のレベルとし、所定の基準レベル以上となっていれば超過した分だけ削除しておく。このようにして信号線指定回路６から出力される画像信号を画像信号Ｄ３とする。
【００２８】
次に、走査パルスＰ０と画像信号Ｄ３とを発光期間設定回路７で入力し、画像信号Ｄ３のレベルに順じてそれぞれの走査線期間毎に発光素子１０の発光する期間を制御する発光データＤ４を生成する。この発光データＤ４を入力したデータ線駆動回路８は、発光素子１０のそれぞれのデータ線毎に発光データＤ４によって制御された発光期間分の電流（Ｓ０，Ｓ１，Ｓ２，．．，Ｓｎ）を発光素子１０へ送る。
【００２９】
そして、発光素子１０では、まず、マトリクス状に配列された発光素子１０にデータ線毎に、発光データＤ４によって制御された発光期間分の電流（Ｓ０，Ｓ１，Ｓ２，．．，Ｓｎ）と、発光する走査線の駆動を走査パルスＰ０を走査線駆動回路９へ入力して得られた制御パルス（Ｌ０，Ｌ１，Ｌ２，．．，Ｌｍ）とを入力して、所定の基準レベル未満の画像信号に相当する発光期間分の電流が供給される走査線の場合は、所定の基準レベル未満の画像信号に相当する発光期間で１回発光させ、、高輝度レベルを表示する所定の基準レベル以上の画像信号が供給される走査線の場合は、まず、所定の基準レベル未満の画像信号の最大値に相当する発光期間分で１回目を発光させ、次に所定の基準レベル以上の画像信号レベルに相当する発光期間で２回目の発光を同じ走査線のアドレスで行うことにより、所定の基準レベル以上の発光量を得て視覚的に高輝度を表示する。
【００３０】
次に本発明の実施形態に係る表示装置の発光期間について図２〜図４を用いて詳細に説明する。
図２（Ａ）に示すように、所定の基準レベル未満の走査線アドレスであるアドレスＡ０１、Ａ０４では走査線を１回ずつ指定し、所定の基準レベル以上の走査線アドレスであるアドレスＡ１２、Ａ１３では、同じ走査線を２回指定する。
そして、走査線期間から非発光期間（従来例の帰線期間に相当する）を除いた期間を発光期間とする。
所定の基準レベル以上の走査線アドレスにおける１回目の発光期間は、所定の基準レベル未満の走査線期間（Ｔｈ０）の発光期間（Ｔｍａｘ）と同じに設定する。
そして、所定の基準レベル以上の走査線アドレスにおける２回目の発光期間（Ｔｐ）は画像信号の高輝度レベルに順じて設定するものとする。
非発光期間（図２（Ａ）の（１）に記載のＴＢＬ０，ＴＢＬ１）は発光データの転送用及び発光素子の充放電に用い、画質に影響を与えない範囲で出来るだけ少なく設定する。
【００３１】
図２（Ｂ）に示すように、発光期間に対し発光素子１０の発光期間に対する発光量（明るさ）は比例しているから、画像信号の高輝度レベル時には、発光期間Ｔｍａｘに２回目の発光期間Ｔｐが加算された発光量となる。発光量ｍａｘは発光期間Ｔｍａｘに相当し、発光量Ｐｅａｋは発光期間Ｔｍａｘ＋Ｔｐに相当する。
従って、所定の基準レベル未満の走査線アドレスＡ０１，Ａ０４では発光期間Ｔｍａｘで、この場合表示される発光量はｍａｘとなり、所定の基準レベル以上の走査線アドレスＡ１２，Ａ１３では発光期間Ｔｍａｘ＋Ｔｐで、この場合表示される発光量はｐｅａｋとなる。このようにして、発光期間に応じた発光量（明るさ）が表示される。
【００３２】
図３（Ａ）に示すように、所定の基準レベル以上の走査線アドレスにおける発光素子１０の発光による１回目は、発光期間（Ｔｍａｘ）が最大である。そして図３（Ｂ）に示すように２回目に所定の基準レベル以上の高輝度レベル部分のみを発光期間（Ｔｐ）として発光させる。
そうすると、図３（Ｄ）に示すように図３（Ａ）、図３（Ｂ）の発光を２回とも同じ発光素子位置とすると、図３（Ｃ）に示すように、発光期間がＴｍａｘとＴＰが加算された発光量となって視覚的な高輝度レベル部分として表示される。
そして高輝度レベル部分以外は、１回目の発光期間がＴｍａｘ未満となる発光期間により所定の発光量で表示される。
尚、図３（Ａ）、図３（Ｂ）のグラフの縦軸は発光期間を示し横軸は発光素子の水平方向位置を示す。図３（Ｃ）のグラフの縦軸は素子別の発光量を示し横軸は発光素子の水平方向位置を示す。図３（Ｄ）のＨｎは、発光素子の水平方向素子数を示し、Ｖｍは走査線数を示す。そして図３（Ｄ）においては中央の走査線を発光させている状態を示す。
【００３３】
図４に示すように、１画面の最大発光期間は、走査線数ｍ×最大発光期間Ｈ１であり、画像入力部２から順次送られてくる画像信号Ｄ０の１画面の画像部分の転送時間に相当し、常に一定である。
このため、１画面分の走査線数ｍの最大発光期間を全て同一に削減し、この削減した発光期間を高輝度レベル部分の発光期間に充当する。例えば、最大発光期間の削減率をｋとすると修正最大発光期間Ｔｍａｘは、
Ｔｍａｘ＝（１−ｋ）Ｈ１となる。
これが各走査線の１回目の修正最大発光期間となる。
【００３４】
そして、高輝度部分の２回目の発光期間Ｈ２（図２、図３のＴｐに相当）は、高輝度部分の走査線数をｐとすると、
Ｈ２＝ｍｋＨ１／Ｐとなる。
具体的な例として、例えば、１画面の走査線数ｍを２００本、最大発光期間Ｈ１を１５０μｓｅｃとし、最大発光期間の削減率ｋを０．１、高輝度レベル部分の走査線数ｐを２０本とすると、
Ｈ２＝２００×０．１×１５０μｓｅｃ／２０＝１５０μｓｅｃとなり、高輝度レベル部分の発光期間Ｈ２は最大発光期間Ｈ１と等しくなる。
従って、最大発光期間の削減率ｋを０．１とすれば、高輝度レベル部分の発光期間は最大発光期間の略２倍となり、従来の最大発光期間で表示できる発光量の略２倍の発光量（視覚的高輝度）が得られる。
特に動画の場合は、高輝度レベルの有無に係らず削減率を一定となるように発光期間削減部分を非発光期間とすることで画面毎に同じレベルの輝度が変動しないよう設定する。
【００３５】
次に本発明の実施形態における発光素子について図５、図６を用いて説明する。
図５に示すように、発光素子１０は、電流を流すと発光状態となり（ＥＬ０）、電流を流さないと発光せずに負荷容量（ＥＬ１）となる有機ＥＬ素子をマトリクス状に複数配置したものである。
この発光素子１０に電流を流して発光させるために、データ線駆動回路８は、電流源Ｉａ０とスイッチＳＷ０とを複数配置して所定位置の発光素子１０に電流を供給するものであり、走査線駆動回路９は、電圧源Ｖ０と保護抵抗Ｒ０と複数のスイッチＳＷ１とからなり、発光素子１０の走査線に電圧を加えた時はＯＦＦ状態となり電流が流れず発光しないよう設定され、そして発光素子１０の走査線に電圧を加えず接地電位とした時にはＯＮ状態となり、その結果、発光素子１０に電流が流れて発光するよう設定されている。
【００３６】
図６に示すように、発光素子１０が発光して得られる輝度を増加させるためには、発光素子１０に流す電流を多くするか発光期間を長くして発光する輝度を増加させる。
しかし、発光素子１０に流す電流を多くすると寿命が短くなる。このため、出来るだけ少ない電流を用いて寿命を長くしようとすると、高輝度を得るために時間が長くかかり実用的ではなくなる。
【００３７】
この対応として、例えば、図６に示されている６０００（ｃｄ／ｍ２）以下の輝度を高輝度未満の表示用として流す電流を略２００μＡとし、発光期間を（Ｂ）の実線で示される標準発光期間に設定する。そして９０００（ｃｄ／ｍ２）付近を高輝度として流す電流を略２００μＡとし、発光期間を（Ａ）の一点鎖線で示される長発光期間に高輝度時のみ設定する。このようにして、高輝度を得ると共に発光素子の寿命を短くすることなく長く保つことができる。
【００３８】
尚、図６のグラフは、縦軸に発光素子の発光する輝度（ｃｄ／ｍ２）、横軸に発光素子に流す電流（μＡ）を設定し、発光期間を標準（１５０μｓｅｃ）、長（標準の略１．４倍）、短（標準の略０．６倍）として表示したものである。
また、本発明の実施形態で述べたように発光素子の発光期間を制御すれば、表示される輝度を制御できる（ＰＷＭ方式：Ｐｕｌｓｅ  Ｗｉｄｔｈ  Ｍｏｄｕｌａｔｉｏｎ）が、図６に示すように発光素子の電流量を制御しても表示される輝度を制御できる（ＰＡＭ方式：Ｐｕｌｓｅ  Ａｍｐｌｉｔｕｄｅ  Ｍｏｄｕｌａｔｉｏｎ）のはもちろんである。
【００３９】
以上述べてきたように、本発明の実施形態によれば、高輝度レベルを表示するために所定の基準レベル以上の画像信号が供給される走査線の発光素子１０を、所定の基準レベル未満の画像信号レベルの最大値に相当する発光期間と、所定の基準レベル以上の画像信号レベルに相当する発光期間との２回の発光期間で同じ走査線のアドレスの発光素子１０を発光させることにより、高輝度レベルの発光量を得ることが出来る。
また、１画面の発光期間の合計を一定としながら、高輝度レベル部分の走査線における発光素子の発光期間を増加することにより、発光素子の寿命を短くすることなく高輝度レベルに相当する十分な発光量で高輝度レベルの画像を表示することが出来る。
【図面の簡単な説明】
【００４０】
【図１】本発明の実施形態に係る表示装置の構成を説明するための図である。
【図２】本発明の実施形態に係る表示装置の発光状態を説明するための図であり、（Ａ）は発光期間を示す図であり、（Ｂ）は発光期間に対する発光量を示すグラフを示す図である。
【図３】本発明の実施形態に係る表示装置の高輝度レベルの発光量を得る為の過程を示す図であり、（Ａ）は最初の発光状態を示す図であり、（Ｂ）は高輝度レベル部分の発光を示す図であり、（Ｃ）は（Ａ）、（Ｂ）の発光が加算されて表示されたときの発光量を示す図であり、（Ｄ）は発光する位置を示す図である。
【図４】走査線ごとの最大発光期間を示す図である。
【図５】発光素子の動作を説明するための図である。
【図６】発光素子に流す電流と輝度の関係を示すグラフの図である。
【図７】従来の表示装置を説明するための構成図を示す。
【図８】従来の表示装置の発光期間を説明するための図である。
【符号の説明】
【００４１】
１・・・表示装置、２・・・画像入力部、３・・・高輝度検出回路、検出回路、４・・・走査回数制御回路４、５・・・画像メモリ、６・・・信号線指定回路、輝度レベル信号付加手段、７・・・発光期間設定回路、８・・・データ線駆動回路、９・・・走査線駆動回路、１０・・・発光素子
【図１】
2007041017.tif 000003
【図２】
2007041017.tif 000004
【図３】
2007041017.tif 000005
【図４】
2007041017.tif 000006
【図５】
2007041017.tif 000007
【図６】
2007041017.tif 000008
【図７】
2007041017.tif 000009
【図８】
2007041017.tif 000010